(57)【要約】【課題】情報表示パネルが着脱可能であるとともに、情報表示パネルの取り付け又は取り外しをより簡便に行うことが可能な情報表示装置を提供する。【解決手段】情報表示装置は、少なくとも一方が透明な一対の基板間に配置される表示媒体によって、所定情報を表示する１枚以上の情報表示パネルと、表示媒体を駆動する表示制御部と、を備える。１枚以上の情報表示パネルの各々は、表示領域を有する本体パネル部と、表示用電極に連結された複数のパネル側電極を有するコネクタ部と、を有し、表示制御部は、１枚以上の情報表示パネルの各々のコネクタ部を取り付け又は取り外し可能に構成され、１枚以上情報表示パネルの少なくとも一つと電気的に接続又は切離する着脱機構を有し、コネクタ部は、本体パネル部の縁部から本体パネル部の外側方向に向けて突出して形成されている。【選択図】図４
2013092627.tif 000002
【特許請求の範囲】
【請求項１】
少なくとも一方が透明な一対の基板間に配置される表示媒体によって、所定情報を表示する１枚以上の情報表示パネルと、
前記１枚以上の情報表示パネルの少なくとも一つと電気的に接続して前記表示媒体を駆動する表示制御部と、を備える情報表示装置であって、
前記１枚以上の情報表示パネルの各々は、
表示領域を有する本体パネル部と、
前記本体パネル部の前記表示領域に配置された表示用電極に連結された複数のパネル側電極を有するコネクタ部と、を有し、
前記表示制御部は、
前記１枚以上の情報表示パネルの各々のコネクタ部を取り付け又は取り外し可能に構成され、前記１枚以上の情報表示パネルの少なくとも一つと電気的に接続又は切離する着脱機構を有し、
前記コネクタ部は、
前記本体パネル部の縁部から前記本体パネル部の外側方向に向けて突出して形成されている
ことを特徴とする情報表示装置。
【請求項２】
前記コネクタ部は、可撓性を有する可撓部材で構成される
ことを特徴とする請求項１に記載の情報表示装置。
【請求項３】
前記コネクタ部では、前記複数のパネル側電極が、前記コネクタ部の一方の面と他方の面とに露出して配置されており、
前記着脱機構は、配置された前記１枚以上の情報表示パネルの各々の前記コネクタ部を取り付けた状態において、前記１枚以上の情報表示パネルと前記表示制御部とを電気的に接続する
ことを特徴とする請求項１又は２に記載の情報表示装置。
【請求項４】
前記コネクタ部では、前記複数のパネル側電極の各々が、所定の配列間隔を設けて並列に配置されており、
前記本体パネル部の縁部に沿った前記コネクタ部の幅は、前記複数のパネル側電極の各々の幅と、前記複数のパネル側電極に含まれるパネル側電極の数と、前記所定の配列間隔とに基づいて定められる
ことを特徴とする請求項１乃至３のいずれか一項に記載の情報表示装置。
【発明の詳細な説明】
【技術分野】
【０００１】
本発明は、少なくとも一方が透明な一対の基板間に封入される表示媒体によって、所定情報を表示する情報表示パネルと、情報表示パネルと電気的に接続して、情報表示パネルに配置された表示媒体を駆動する表示制御部とを備える情報表示装置に関する。
【背景技術】
【０００２】
従来、液晶表示装置（ＬＣＤ）に変わる情報表示装置として、帯電粒子気体中移動方式（電子粉流体（登録商標）方式）、帯電粒子液体中移動方式（電気泳動方式）、エレクトロクロミック方式、サーマル方式、２色粒子回転方式などの技術を用いた情報表示装置が提案されている。これらの情報表示装置のなかでも帯電粒子気体中移動方式を用いた情報表示装置は、給電を断っても情報表示パネルの表示領域に表示させた情報が保持される表示メモリ性に優れているため、電子ペーパーとしての利用が広まっている。
【０００３】
ここで、特許文献１には、情報表示パネルと表示制御部とが着脱する情報表示装置が開示されている。具体的に、かかる情報表示装置では、情報表示パネルが、表示領域に配置される表示用電極に電気的に接続するコネクタ部を備え、表示制御部が、コネクタ部を圧着又は解放する着脱機構を備える。
【０００４】
かかる情報表示装置では、着脱機構がコネクタ部を圧着することによって、情報表示パネルと表示制御部とを電気的に接続して、情報表示パネルに表示される情報（画像）を書き換えることができるとともに、着脱機構がコネクタ部を解放することによって、書き換えられた情報表示パネルを取り外して、単独で取り扱うことができる。
【先行技術文献】
【特許文献】
【０００５】
【特許文献１】国際公開番号ＷＯ／２００８／１５６１７５
【発明の概要】
【発明が解決しようとする課題】
【０００６】
ここで、上述した情報表示装置では、コネクタ部が、情報表示パネルの内側の領域において、情報表示パネルの幅方向の広範囲にわたって形成されているため、かかるコネクタ部を着脱機構が圧着することによって、情報表示パネル全体が固定される。
【０００７】
このような構成の情報表示装置では、全体固定された情報表示パネルがめくり難くなるため、情報表示パネルを取り付ける又は取り外すことが行い難くなってしまうという問題があった。
【０００８】
そこで、本発明は、このような状況に鑑みてなされたものであり、情報表示パネルが着脱可能であるとともに、情報表示パネルの取り付け又は取り外しをより簡便に行うことが可能な情報表示装置を提供することを目的とする。
【課題を解決するための手段】
【０００９】
上述した課題を解決するため、本発明は、次のような特徴を有している。まず、本発明の第１の特徴は、少なくとも一方が透明な一対の基板間に配置される表示媒体によって、所定情報を表示する１枚以上の情報表示パネル（情報表示パネル１００）と、前記１枚以上の情報表示パネルの少なくとも一つと電気的に接続して前記表示媒体を駆動する表示制御部（表示制御部２００）と、を備える情報表示装置（情報表示装置１０）であって、前記１枚以上の情報表示パネルの各々は、表示領域を有する本体パネル部（本体パネル部１１０）と、前記本体パネル部の前記表示領域（表示領域１１１）に配置された表示用電極に連結された複数のパネル側電極（パネル側電極１２２）を有するコネクタ部（コネクタ部１２０）と、を有し、前記表示制御部は、前記１枚以上の情報表示パネルの各々のコネクタ部を取り付け又は取り外し可能に構成され、前記１枚以上の情報表示パネルの少なくとも一つと電気的に接続又は切離する着脱機構（着脱機構２２０）を有し、前記コネクタ部は、前記本体パネル部の縁部から前記本体パネル部の外側方向に向けて突出して形成されていることを要旨とする。
【００１０】
本発明の特徴によれば、情報表示装置では、１枚以上の情報表示パネルの各々が本体パネル部とコネクタ部とを有し、表示制御部が、１枚以上の情報表示パネルの各々のコネクタ部を取り付け又は取り外し可能に構成される着脱機構を有する。すなわち、表示制御部の着脱機構が、１枚以上の情報表示パネルを着脱可能に構成されている。よって、情報表示パネルを表示制御部から取り外して、単独で取り扱うことができる。
【００１１】
表示制御部の着脱機構は、一つの情報表示パネルでも複数の情報表示パネルでも取り付けられるようにしてあるので、表示情報の書き換えを実行したい情報表示パネルを表示制御部の着脱機構に取り付けて表示情報の書き換えを実行できる。また、表示情報の書き換えを済ませた情報表示パネルの上に次に表示書き換えを実行したい情報表示パネルを重ねるようにして表示制御部の着脱機構に取り付けて表示情報の書き換えを実行できる。なお、この場合、表示情報の書き換えを済ませた複数の情報表示パネルすべてが表示制御部の着脱機構に取り付けられていることになる。
【００１２】
また、情報表示パネルにおいて、コネクタ部は、本体パネル部の縁部から本体パネル部の外側方向に向けて突出して形成されている。かかる情報表示装置によれば、着脱機構が、突出して形成されるコネクタ部に限定して情報表示パネルを保持するので、従来技術のように、着脱機構が、情報表示パネルの内側の領域の広範囲にわたって形成されるコネクタ部を圧着して情報表示パネルを保持する場合に比べて、情報表示パネルをめくる際の自由度が増す。よって、かかる情報表示装置によれば、情報表示パネルが着脱可能であるとともに、情報表示パネルの取り付け又は取り外しがより簡便になる。
【００１３】
また、複数の情報表示パネルを表示制御部に取り付けた場合であっても、閲覧者が情報表示パネルをめくり易くすることができる。更には、上記したようにして表示情報の書き換えを済ませた複数の情報表示パネルを、表示制御部の着脱機構に取り付けられている状態のままめくって見ることが容易にできる。また、複数の情報表示パネルが取り付けられた状態のまま、それぞれの情報表示パネルを視認しやすくすることが可能になる。
【００１４】
本発明の他の特徴では、前記コネクタ部は、可撓性を有する可撓部材で構成されることを要旨とする。
【００１５】
本発明の他の特徴では、前記コネクタ部では、前記複数のパネル側電極が、前記コネクタ部の一方の面と他方の面とに露出して配置されており、前記着脱機構は、配置された前記１枚以上の情報表示パネルの各々の前記コネクタ部を取り付けた状態において、前記１枚以上の情報表示パネルと前記表示制御部とを電気的に接続することを要旨とする。
【００１６】
本発明の他の特徴では、前記コネクタ部では、前記複数のパネル側電極の各々が、所定の配列間隔を設けて並列に配置されており、前記本体パネル部の縁部に沿った前記コネクタ部の幅は、前記複数のパネル側電極の各々の幅と、前記複数のパネル側電極に含まれるパネル側電極の数と、前記所定の配列間隔とに基づいて定められることを要旨とする。
【発明の効果】
【００１７】
本発明によれば、１枚以上の情報表示パネルが着脱可能であるとともに、情報表示パネルの取り付け又は取り外しをより簡便に行うことが可能な情報表示装置を提供できる。
【図面の簡単な説明】
【００１８】
【図１】図１は、本発明の実施形態に係る情報表示装置の概略構成を示す斜視図である。
【図２】図２は、図１に示す情報表示装置のＡ−Ａ線における断面図である。
【図３】図３（ａ）は、複数の情報表示パネルが表示制御部に取り付けられた状態の情報表示装置の断面図である。図３（ｂ）は、複数の情報表示パネルが表示制御部から取り外される状態の情報表示装置の断面図である。
【図４】図４は、本実施形態に係る情報表示パネルの斜視図である。
【図５】図５（ａ）は、コネクタ部の平面図である。図５（ｂ）は、図５（ａ）に示すコネクタ部のＣ−Ｃ線における断面図である。
【図６】図６（ａ）は、表示領域において、白色表示媒体が情報表示面側に位置している状態の情報表示パネルの断面図である。図６（ｂ）は、表示領域において、黒色表示媒体が情報表示面側に位置している状態の情報表示パネルの断面図である。
【図７】本実施形態に係る情報表示装置のハードウエア構成図である。
【図８】図８は、本発明の変形例に係る情報表示装置において、複数の情報表示パネルと着脱機構２２０との断面図である。
【図９】図９は、本発明の変形例に係るコネクタ部の断面図である。
【図１０】図１０は、本発明の変形例に係る情報表示装置において、情報表示パネルと着脱機構との断面図である。
【図１１】図１１は、本発明の変形例に係るコネクタ部の平面図である。
【図１２】図１２（ａ）は、本発明の他の実施形態に係る着脱機構の斜視図である。図１２（ｂ）は、本発明の他の実施形態に係る着脱機構の斜視図である。
【発明を実施するための形態】
【００１９】
以下、本発明の実施形態に係る情報表示装置の一例について、図面を参照しながら説明する。具体的には、（１）情報表示装置の概略構成、（２）情報表示パネルの構成、（３）情報表示装置のハードウエア構成、（４）作用・効果、（５）変形例について説明する。
【００２０】
以下の図面の記載において、同一または類似の部分には、同一又は類似の符号を付している。図面は模式的なのものであり、各寸法の比率などは現実のものとは異なることを留意すべきである。具体的な寸法などは、以下の説明を参酌して判断すべきものである。図面相互間においても互いの寸法の関係や比率が異なる部分が含まれていることは勿論である。
【００２１】
（１）情報表示装置の概略構成
図１は、情報表示装置１０の概略構成を示す斜視図である。図１に示すように、情報表示装置１０は、２枚の情報表示パネル１００と、２枚の情報表示パネル１００を制御する表示制御部２００とを備える。表示制御部２００は、ＣＰＵ、メモリ、プッシュボタンやペン入力デジタイザなどの操作入力手段、バッテリなどを備えている。表示制御部２００は、情報表示パネル１００に制御信号を送信するとともに、制御信号に応じた所定情報を表示するように情報表示パネル１００を制御する。
【００２２】
情報表示パネル１００は、電子ペーパーなどとして用いることができる。情報表示パネル１００は、少なくとも一方が透明な一対の基板間に配置される表示媒体によって、所定情報を表示する。なお、表示制御部２００は、１枚以上の情報表示パネル１００の少なくとも一つと電気的に接続して表示媒体を駆動することによって、１枚以上の情報表示パネル１００の少なくとも一つに所定画像を表示させる。
【００２３】
本実施形態に係る情報表示装置１０は、１枚以上（ここでは２枚）の情報表示パネル１００と表示制御部２００とが着脱可能に構成されている。具体的に、表示制御部２００は、載置部２１０と、着脱機構２２０とを備える。載置部２１０は、１枚以上の情報表示パネル１００を載置できる。着脱機構２２０は、情報表示パネル１００の各々に設けられるコネクタ部１２０を取り付け又は取り外し可能に構成され、１枚以上の情報表示パネル１００と表示制御部２００とを着脱する。
【００２４】
図２には、図１に示す情報表示装置１０のＡ−Ａ線における断面図が示されている。情報表示パネル１００に設けられるコネクタ部１２０は、複数のパネル側電極１２２ａ乃至１２２ｆを有する。一方、表示制御部２００に設けられる着脱機構２２０は、表示制御側電極２２１ａ乃至２２１ｆを有する。着脱機構２２０にコネクタ部１２０が取り付けられることによって、複数のパネル側電極１２２ａ乃至１２２ｆの各々と表示制御側電極２２１ａ乃至２２１ｆの各々とが電気的に接続される。
【００２５】
ここで、図３（ａ）乃至（ｂ）には、図１に示す情報表示装置１０のＢ−Ｂ線における断面図が示されている。具体的に、図３（ａ）には、１枚以上（ここでは２枚）の情報表示パネル１００が表示制御部２００に取り付けられた状態の断面図が示されており、上になっている情報表示パネル１００が表示制御部２００と電気的接続がなされている。図３（ｂ）には、２枚の情報表示パネル１００のうち上になっている情報表示パネル１００が表示制御部２００における電気的に接続された状態から切り離された状態の断面図が示されている。
【００２６】
図３（ａ）乃至（ｂ）に示すように、着脱機構２２０は、１枚以上（ここでは２枚）の情報表示パネル１００の各々のコネクタ部１２０を取り付け又は取り外し可能に構成され、１枚以上（ここでは２枚）の情報表示パネル１００の少なくとも一つ（ここでは上の情報表示パネル１００）と電気的に接続又は切離する。すなわち、着脱機構２２０は、１枚以上（ここでは２枚）の情報表示パネル１００を表示制御部２００から取り外すことを可能に構成されている。
【００２７】
着脱機構２２０がコネクタ部１２０に取り付けられることによって、表示制御部２００と情報表示パネル１００とが電気的に接続される。一方、着脱機構２２０がコネクタ部１２０から取り外されることによって、表示制御部２００と情報表示パネル１００とが電気的に切離される。なお、本実施形態では、着脱機構２２０が、コネクタ部１２０を圧着又は解放することによって、１枚以上（ここでは２枚）の情報表示パネル１００が表示制御部２００から着脱可能に構成される。
【００２８】
（２）情報表示パネルの構成
次に、情報表示パネル１００の構成について図面を参照して説明する。図４には、情報表示パネル１００の斜視図が示されている。図５（ａ）には、コネクタ部１２０の平面図が示されており、図５（ｂ）には、図５（ａ）に示すコネクタ部１２０のＣ−Ｃ線における断面図が示されている。
【００２９】
情報表示パネル１００は、表示領域１１１を有する本体パネル部１１０と、コネクタ部１２０とを備える。本体パネル部１１０は、矩形の薄い板状に形成されている。ここで言う矩形は、ノート用紙などで一般的に知られている形状であり、角部が丸くカットされていたり、角部が少し直線的にカットされていたりすることを含む。矩形に形成される本体パネル部１１０は、長辺方向における縁部１１０ａ乃至１１０ｂと、短辺方向における縁部１１０ｃ乃至１１０ｄとを有する。本体パネル部１１０は、所定情報が表示される表示領域１１１を有する。なお、表示領域１１１は、矩形であることが好ましいが、外形形状は、矩形に限定されない。
【００３０】
本実施形態において、コネクタ部１２０は、本体パネル部１１０の縁部１１０ａから本体パネル部１１０の外側方向に向けて突出して形成されている。なお、図４に示す本実施形態において、本体パネル部１１０の外側方向とは、本体パネル部１１０の長辺方向（図４に示すＸ方向）であり、かつ、表示領域１１１が形成される内側とは反対の方向を示す。
【００３１】
ここでは、矩形の短辺部分にコネクタ部１２０を形成しているが、矩形の長辺部分にコネクタ部１２０を形成してもよい。
【００３２】
本体パネル部１１０の縁部１１０ａに沿ったコネクタ部１２０の幅Ｗ１は、本体パネル部１１０の縁部１１０ａの幅Ｗ２よりも狭くなるように形成されている。なお、本実施形態において、本体パネル部１１０の縁部１１０ａに沿った方向は、短辺方向（図４に示すＹ方向）である。
【００３３】
また、外側方向におけるコネクタ部１２０の突出長Ｌは、５ｍｍ〜２０ｍｍの範囲内であることが好ましい。  
また、コネクタ部は本体パネル部１１０の一辺に複数配置してもよい。また、コネクタ部とは別に、本体パネル部１１０の支持の目的のための突出部を、着脱機構２２０に取り付けられるようにして設けてもよい。
【００３４】
なお、本実施形態では、コネクタ部１２０は、本体パネル部１１０の長辺方向の縁部１１０ａから突出して形成されている場合を例に挙げて説明するが、長辺方向の縁部１１０ｂ、もしくは、短辺方向の縁部１１０ｃ又は縁部１１０ｄから突出して形成されていてもよい。すなわち、コネクタ部１２０は、本体パネル部１１０の縁部１１０ａ乃至１１０ｄのいずれか一つから突出して形成されていればよい。
【００３５】
また、図５（ａ）乃至（ｂ）に示すように、コネクタ部１２０は、コネクタ基板１２１とパネル側電極１２２ａ乃至１２２ｆとを有する。コネクタ基板１２１には、複数のパネル側電極１２２ａ乃至１２２ｆが配置される。具体的に、コネクタ基板１２１は、コネクタ表面１２１ａと、コネクタ裏面１２１ｂとを有しており、コネクタ表面１２１ａに複数のパネル側電極１２２ａ乃至１２２ｆが配置される。
【００３６】
複数のパネル側電極１２２ａ乃至１２２ｆは、本体パネル部１１０の表示領域１１１に配置された表示用電極に連結されている。なお、表示用電極の詳細については後述する。
【００３７】
図５（ａ）乃至（ｂ）に示すように、コネクタ部１２０では、複数のパネル側電極１２２ａ乃至１２２ｆの各々が、所定の配列間隔Ｇを設けて並列に配置されている。また、本体パネル部１１０の縁部１１０ａに沿ったコネクタ部１２０の幅Ｗ１は、複数のパネル側電極１２２ａ乃至１２２ｆの各々の電極幅Ｗｅと、複数のパネル側電極１２２ａ乃至１２２ｆに含まれるパネル側電極の数Ｎと、所定の配列間隔Ｇとに基づいて定められる。
【００３８】
ここで、図５（ａ）乃至（ｂ）の例では、パネル側電極の数Ｎが、６つである場合を例に挙げている。また、配列間隔Ｇと、コネクタ基板１２１の一方の端部１２１Ｘからパネル側電極１２２ａまでの配列間隔Ｇと、コネクタ基板１２１の他方の端部１２１Ｙからパネル側電極１２２ａまでの配列間隔Ｇとが、同一である場合を例に挙げている。この場合、コネクタ部１２０の幅Ｗ１は、Ｗ１＝Ｗｅ×６＋Ｐ×（６＋１）として示すことができる。
【００３９】
なお、パネル側電極の数Ｎは、これに限定されるものではない。また、複数のパネル側電極１２２ａ乃至１２２ｆの配列間隔Ｇと、コネクタ基板１２１の一方の端部１２１Ｘからパネル側電極１２２ａまでの配列間隔Ｇと、コネクタ基板１２１の他方の端部１２１Ｙからパネル側電極１２２ａまでの配列間隔Ｇとの各々を、異なるようにしてもよい。
【００４０】
また、本実施形態において、コネクタ部１２０は、可撓性を有する可撓部材で構成される。具体的には、コネクタ基板１２１とパネル側電極１２２とは、可撓性を有する可撓部材で構成されることが好ましい。コネクタ基板１２１の部材としては、ポリエチレンテレフタレート（ＰＥＴ）、ポリエチレンナフタレート（ＰＥＮ）、ポリエーテルサルフォン（ＰＥＳ）、ポリエチレン、ポリカーボネート、ポリイミド、アクリル樹脂などのプラスチック材料などが挙げられる。
【００４１】
パネル側電極１２２の部材としては、電気抵抗が小さく、可撓性のある導電性金属電極が好ましい。例えば、金、銀、銅、アルミニウム、ニッケル、クロム等の金属や、これらの金属を主成分とする合金が挙げられる。この電極の厚みは、導電性が確保でき可撓性に支障がなければ良く、５μｍ〜７２μｍが好ましく、９μｍ〜３５μｍがより好ましい。５μｍより薄いと、着脱機構２２０に圧着されて電気的に接続する際に、擦れて損傷してしまい、電気的接続に支障を来たす不都合となる場合がある。一方、７２μｍより厚いと、電極形成に時間が掛かりコスト高となるおそれがある。また、電気的接続部の電極部分にメッキ等で導電性材料を形成して電極厚さを厚くしてもよい。
【００４２】
次に、情報表示パネル１００の表示領域１１１の構成について更に説明する。図６（ａ）及び（ｂ）は、情報表示パネル１００の表示領域１１１の断面図である。具体的に、図６（ａ）は、表示領域１１１において、白色表示媒体３９０Ｗが情報表示面側（図中の「目」のマークを参照）に位置している状態を示し、図６（ｂ）は、表示領域１１１において、黒色表示媒体３９０Ｂが情報表示面側に位置している状態を示す。
【００４３】
なお、図６（ａ）乃至（ｂ）に示す例では、少なくとも光学的反射率および帯電性を有する粒子を含んだ粒子群として構成した光学的反射率および帯電特性が異なる少なくとも２種類の表示媒体として、白色表示媒体３９０Ｗと黒色表示媒体３９０Ｂとが示されている。
【００４４】
白色表示媒体３９０Ｗは、負帯電性白色粒子３９０Ｗａを含んだ粒子群として構成されている。黒色表示媒体３９０Ｂは、正帯電性黒色粒子３９０Ｂａを含んだ粒子群として構成されている。本実施形態において、黒色表示媒体３９０Ｂと白色表示媒体３９０Ｗとはそれぞれ、表示用電極に印加される電圧によって駆動する表示媒体を構成する。
【００４５】
図６（ａ）及び（ｂ）に示すように、情報表示パネル１００では、表示領域１１１において、表面基板３２０ａ、裏面基板３２０ｂ、表面電極３４０ａ、裏面電極３４０ｂ及び隔壁３５０を有する。
【００４６】
一対の表面基板３２０ａ及び裏面基板３２０ｂのうち、表面基板３２０ａは、情報表示面側の表示領域１１１に形成される。表面基板３２０ａは、透明な基板であり、表示領域１１１を形成する。表面基板３２０ａは、可視光の透過率が高く、かつ耐熱性のよいものが好ましい。裏面基板３２０ｂは、表面基板３２０ａと対向する。なお、裏面基板３２０ｂは透明であってもよいし、透明でなくてもよい。本実施形態において、一対の表面基板３２０ａ及び裏面基板３２０ｂは、少なくとも一方の基板が透明な一対の基板を構成する。
【００４７】
表面電極３４０ａ及び裏面電極３４０ｂは、表面基板３２０ａ及び裏面基板３２０ｂに対応して設けられる。具体的には、表面電極３４０ａ及び裏面電極３４０ｂは、表面基板３２０ａ及び裏面基板３２０ｂよりも内側にそれぞれ設けられる。本実施形態において、表面電極３４０ａ及び裏面電極３４０ｂは、表示用電極を構成しており、パネル側電極１２２ａ乃至１２２ｆに連結されている。また、本実施形態において、表面電極３４０ａと裏面電極３４０ｂとの間隔（ギャップ）Ｈは、５０μｍであることとするが、これに限定されず適宜最適な値を決定してもよい。
【００４８】
表面電極３４０ａは、表面基板３２０ａ側に形成される透明な電極である。表面電極３４０ａは、表面基板３２０ａ上に形成されている。裏面電極３４０ｂは、裏面基板３２０ｂ側に形成される電極である。裏面電極３４０ｂは裏面基板３２０ｂ上に形成されている。図６に示す実施形態では、表面電極３４０ａ及び裏面電極３４０ｂは、細長い帯状の電極であり、互いに対向して配設されているとともに、互いに直交するように配設されている。つまり、対向した電極が重なり合った部分である電極対がマトリックス状に配設されており、情報表示パネル１００では、パッシブマトリックス駆動方式が用いられる。
【００４９】
白色表示媒体３９０Ｗ及び黒色表示媒体３９０Ｂは、表面電極３４０ａと裏面電極３４０ｂとの間に配置好ましくは封入される。例えば、負帯電性白色粒子を含んだ粒子群である白色表示媒体３９０Ｗ及び正帯電性黒色粒子を含んだ粒子群である黒色表示媒体３９０Ｂは、表面電極３４０ａ及び裏面電極３４０ｂを介して電界が与えられることによって何れかの電極に向けて駆動される。つまり、白色表示媒体３９０Ｗ及び黒色表示媒体３９０Ｂは、それぞれ異なる帯電性を有し、電気的に駆動可能である。具体的には、表面電極３４０ａと裏面電極３４０ｂとに電圧を印加することによって、白色表示媒体３９０Ｗ及び黒色表示媒体３９０Ｂは、何れかの電極に向けて駆動される。なお、帯電性を有する白色表示媒体３９０Ｗ及び黒色表示媒体３９０Ｂを構成する帯電性粒子は、その主成分となる樹脂に、必要に応じて、荷電制御剤、着色剤、無機添加剤等を含ませてその帯電性や光学的反射率を調整することができる。
【００５０】
隔壁３５０は、表面基板３２０ａと裏面基板３２０ｂとの間に形成される。隔壁３５０は、白色表示媒体３９０Ｗ及び黒色表示媒体３９０Ｂが配置される空間Ｓを仕切る。隔壁３５０は、表面基板３２０ａと裏面基板３２０ｂとの間の空間Ｓを確保するために設けられる。空間Ｓは、気体（例えば、空気）で満たされていてもよいし、真空状態あるいは減圧状態にされていてもよい。なお、真空状態や減圧状態である場合には、空間Ｓは、密閉空間となる。隔壁３５０は、表面基板３２０ａ側からの視点において格子状に形成される。格子状とは、所定の空間が形成されるように、周期的に配置されていればよい。対向した電極対で挟まれた空間Ｓは、表示領域１１１に表示される画像の１ドット（１画素）を形成する。
【００５１】
（３）情報表示装置のハードウエア構成
図７は、本実施形態に係る情報表示装置１０のハードウエア構成を説明するハードウエア構成図である。情報表示装置１０は、情報表示パネル１００の駆動に関連するハードウエアとして、ドライバＩＣ１１２ａ乃至１１２ｅと、コネクタ部１２０と、制御回路２１１と、着脱機構２２０とを備える。制御回路２１１、着脱機構２２０は、表示制御部２００が備える。なお、情報表示装置１０は、電源部などの他の機能も備えていてよいが、ここでは説明を省略する。
【００５２】
ドライバＩＣ１１２ａ乃至１１２ｅは、表示領域１１１における白色表示媒体３９０Ｗ及び黒色表示媒体３９０Ｂを駆動する。具体的に、ドライバＩＣ１１２ａ乃至１１２ｅは、信号線ＳＬを介して、コネクタ部１２０に連結している。ドライバＩＣ１１２ａ乃至１１２ｅは、コネクタ部１２０を介して、制御回路２１１から送信される制御信号に基づいて、白色表示媒体３９０Ｗ及び黒色表示媒体３９０Ｂを駆動して、表示領域１１１に所定情報を表示する。なお、図７に示される信号線ＳＬには、電源線、データ線、制御線が含まれる。
【００５３】
制御回路２１１は、ＣＰＵ及びメモリなどの電子デバイスによって構成されている。制御回路２１１は、情報表示パネル１００の表示を制御する。具体的に、制御回路２１１は、表示制御装置２００の着脱機構２２０及び情報表示パネル１００のコネクタ部１２０を介して、情報表示パネル１００に所定情報を表示するための制御信号を送信する。
【００５４】
なお、情報表示パネル１００は、表示領域１１１に接触されたタッチペンなどの位置を検出する位置検出部１１５を有していても良い。この場合、位置検出部１１５が、タッチペンによって接触された位置を制御回路２１１に通知し、制御回路２１１は、タッチペンによって接触された位置に応じた所定情報を情報表示パネル１００に表示させる。
【００５５】
（４）作用・効果
本実施形態に係る情報表示装置１０は、１枚以上の情報表示パネル１００と、一つの表示制御部２００とを備える。情報表示パネル１００の各々は、本体パネル部１１０とコネクタ部１２０とを有し、表示制御部２００は、載置部２１０と着脱機構２２０とを有する。本実施形態では、表示制御部２００の着脱機構２２０が、コネクタ部１２０を圧着又は解放することによって、１枚以上の情報表示パネル１００が表示制御部２００から着脱可能に構成される。本実施形態に係る情報表示装置１０によれば、情報表示パネル１００を表示制御部２００から取り外して、単独で取り扱うことが可能になる。
【００５６】
情報表示パネル１００において、コネクタ部１２０は、本体パネル部１１０の縁部１１０ａから本体パネル部１１０の外側方向に向けて突出して形成されている。かかる情報表示装置１０によれば、着脱機構２２０が、突出して形成されるコネクタ部１２０に限定して情報表示パネル１００を保持するので、従来技術のように、着脱機構２２０が、情報表示パネル１００の内側の領域に配置されるコネクタ部を圧着して情報表示パネル１００を保持する場合に比べて、１枚以上の情報表示パネル１００の各々をめくる際の自由度が増す。よって、かかる情報表示装置１０によれば、情報表示パネル１００が着脱可能であるとともに、情報表示パネル１００の取り付け又は取り外しをより簡便に行うことが可能になる。
【００５７】
また、本実施形態に係る情報表示装置１０によれば、複数の情報表示パネル１００が取り付けられる場合であっても、閲覧者が情報表示パネル１００の各々をめくり易くすることができる。よって、表示情報の書き換えを済ませた複数の情報表示パネル１００を、表示制御部２００の着脱機構２２０に取り付けられている状態のままめくって見ることが容易にできる。すなわち、それぞれの情報表示パネル１００を視認しやすくすることが可能になる。
【００５８】
また、本実施形態に係るコネクタ部１２０は、可撓性を有する可撓部材で構成される。複数の情報表示パネル１００の各々が一層めくり易くなり、それぞれの情報表示パネル１００を視認し易くなる。
【００５９】
また、表示制御部２００の着脱機構２２０は、一つの情報表示パネル１００でも複数の情報表示パネル１００でも取り付けられるようにしてあるので、表示情報の書き換えを実行したい情報表示パネル１００を表示制御部２００の着脱機構２２０に順次取り付けて表示情報の書き換えを実行できる。また、表示情報の書き換えを済ませた情報表示パネル１００の上に次に表示書き換えを実行したい情報表示パネル１００を重ねるようにして表示制御部２００の着脱機構２２０に取り付けて表示情報の書き換えを実行できる。この書き換えを繰り返して、複数の情報表示パネル１００のそれぞれに対して順次表示情報の書き換えを実行できる。なお、この場合、最後に表示情報の書き換えを行った情報表示パネル１００が最上に重なった状態のまま、すべての複数の情報表示パネル１００が表示制御部２００の着脱機構２２０に取り付けられていることになる。
【００６０】
（５）変形例
次に、本実施形態の変形例について図面を参照して説明する。
【００６１】
（５．１）変形例１
上述した実施形態では、表示制御部２００が、最上に配置された一の情報表示パネル１００と電気的に接続するように構成されていた。ここで、図８には、本変形例に係る情報表示装置１０において、１枚以上（ここでは２枚）の情報表示パネル１００と着脱機構２２０との長辺方向における断面図が示されている。
【００６２】
図８に示すように、１枚以上（ここでは２枚）の情報表示パネル１００の各々を長辺方向に沿って所定間隔だけずらして配置することによって、表示制御部２００は、１枚以上（ここでは２枚）の情報表示パネル１００の各々と電気的に接続することができる。また、表示制御部２００は、１枚以上（ここでは２枚）の情報表示パネル１００のすべてに同一の制御信号を送信し、１枚以上（ここでは２枚）の情報表示パネル１００のすべてに同一の所定情報を一括して表示させることが可能になる。
【００６３】
なお、この場合、表示制御部２００の載置部２１０には、情報表示パネル１００のコネクタ部１２０が載置される領域に、厚み方向に傾斜する傾斜部Ｒが形成されていることが好ましい。このような構成によれば、１枚以上の情報表示パネル１００が載置部２１０に載置される場合であっても、着脱機構２２０に配置される表示制御側電極２２１ａ乃至２２１ｆと、コネクタ部１２０に配置されるパネル側電極１２２ａ乃至１２２ｆとを、より確実に接続することが可能になる。
【００６４】
（５．２）変形例２
図９には、他の変形例に係るコネクタ部１２０Ａの幅方向における断面図が示されている。図１０には、図９に示したコネクタ部１２０Ａの例に係る情報表示パネル１００と着脱機構２２０との長辺方向における断面図が示されている。
【００６５】
本変形例に係るコネクタ部１２０Ａでは、１枚以上（ここでは２枚）のパネル側電極１２３ａ乃至１２３ｆが、コネクタ部１２０Ａの一方のコネクタ表面１２１ａと他方のコネクタ裏面１２１ｂとに露出して配置されている。
【００６６】
このような構成によって、情報表示装置１０では、図１０に示すように、表示制御部２００の着脱機構２２０が、重ねて配置された１枚以上（ここでは２枚）の情報表示パネル１００の各々のコネクタ部１２０Ａを取り付けた状態において、情報表示パネル１００の各々と表示制御部２００とを電気的に接続する。
【００６７】
図１０に示されるように重ねて配置された２枚の情報表示パネル１００のコネクタ部１２０Ａの電極１２３は互いに接して配置されるので、着脱機構２２０で互いに密着した状態が形成され、互いに導通する。したがって、下にある情報表示パネル１００は、上にある情報表示パネル１００のコネクタ部１２０Ａを介して表示制御部２００と電気的に接続する。
【００６８】
本変形例に係る情報表示装置１０によれば、表示制御部２００は、１枚以上の情報表示パネル１００の各々と電気的に接続するとともに、１枚以上の情報表示パネル１００のすべてに同一の制御信号を送信して、１枚以上の情報表示パネル１００のすべてに同一の所定情報を一括して表示させることが可能になる。
【００６９】
（５．３）変形例３
図１１には、本発明に係るコネクタ部１２０の変形例であるコネクタ部１２０Ｂの平面図が示されている。図１１に示すように、本発明に係るコネクタ部１２０Ｂは、コネクタ部１２０Ｂの外側方向における端部に、内側方向に向かって凹む凹部５００が形成されている。凹部５００は、パネル側電極１２２ａから１２２ｆまでの領域にある配列間隔Ｇの部分に形成される。凹部５００は、１以上、配列間隔Ｇの数以下で設ける。  また、着脱機構２２０には、凹部５００にはめ込まれる凸部（不図示）が、コネクタ部１２０Ｂと対応して形成されている。
【００７０】
このような情報表示装置１０によれば、情報表示パネル１００を着脱機構２２０に取り付ける際、コネクタ部１２０Ｂに凹部５００が凸部（不図示）にはめ込まれるため、コネクタ部１２０Ｂの位置決めが容易になるとともに、コネクタ部１２０Ｂに配置される複数のパネル側電極１２２ａ乃至１２２ｆと、着脱機構２２０に配置される表示制御側電極２２１ａ乃至２２１ｆとをより確実に接続させることができる。
【００７１】
［その他の実施形態］
上述したように、本発明の実施形態を通じて本発明の内容を開示したが、この開示の一部をなす論述及び図面は、本発明を限定するものであると理解すべきではない。この開示から当業者には様々な代替実施の形態、実施例が明らかとなる。例えば、本発明の実施形態は、次のように変更することができる。
【００７２】
例えば、上述した実施形態に係る情報表示装置１０では、情報表示パネル１００が２枚場合を例に挙げて説明したが、３枚以上であってもよい。
【００７３】
また、上述した実施形態に係る情報表示装置１０では、着脱機構２２０が、コネクタ部１２０を圧着又は解放するクリップ方式によって、１枚以上の情報表示パネル１００が表示制御部２００から着脱可能に構成されていた。しかし、図１２（ａ）に示すように、情報表示装置１０は、挿抜方式の着脱機構２２０Ａを備えるようにしてもよい。
【００７４】
図１２（ａ）に示す着脱機構２２０Ａは、情報表示パネル１００を挿抜方向（図１２（ａ）のＸ方向）に沿って抜き差しする挿抜方式によって、情報表示パネル１００と表示制御部２００とを着脱する。情報表示パネル１００の端部１４５が、載置部２８４の端部２８５に突き当てられることで、挿抜方向において、パネル側電極１２２の位置と、表示制御側電極２２１の位置とを容易に合わせることができる。
【００７５】
また、図１２（ｂ）に示すように、情報表示装置１０は、磁石を有する着脱機構２２０Ａを備えるようにしてもよい。図１２（ｂ）に示す着脱機構２２０Ｂは、磁気吸着力によって、情報表示パネル１００と表示制御部２００とを着脱するように構成されている。着脱機構２２０Ｂでは、表示制御側電極２２１を配置した基板が磁石からなり、パネル側電極１２２を配置した基板が磁性体からなる。表示制御側電極２２１を配置した基板は、情報表示パネル１００が載置される載置部２８４を有する。情報表示パネル１００が載置部２８４に載置される際、情報表示パネル１００の端部１４５が、載置部２８４の端部２８５に突き当てられることで、挿抜方向（図１２（ｂ）のＸ方向）において、パネル側電極１２２の位置と、表示制御側電極２２１の位置とを容易に合わせることができる。
【００７６】
例えば、上述した実施形態では、表示媒体は、白色表示媒体及び黒色表示媒体に限られず、他の色の表示媒体であってもよい。表示媒体は、対向する電極に印加した電圧で駆動し、電源からの給電を切断しても表示した情報が保持できる表示メモリ性があるものであればよい。例えば、帯電性粒子を含んだ粒子群を透明な絶縁液体中で駆動させる、マイクロカプセル型の電気泳動方式の情報表示パネルであってもよい。
【００７７】
また、帯電性粒子を含んだ粒子群を有色の絶縁液体中で駆動させるタイプの電気泳動方式の情報表示パネルであってもよい。このタイプは、例えば、負帯電性白色粒子で構成した白色表示媒体が、青色のパラフィンオイルなどの有色の絶縁液体とともに隔壁で形成したセル内に封入されている。
【００７８】
更に、情報表示パネルとしては、半分ずつ２色かつ異なる帯電極性に構成した球状粒子を表示媒体として使用するタイプ（例えば、マイクロカプセル内で回転駆動させるツイストボール方式）やコレステリック液晶を駆動させるタイプを使用することができる。なかでも、粒子群を気体中（真空中を含む）で駆動させる方式は、駆動応答速度が速く、表示メモリ性にも優れているので好ましい。
【００７９】
このように、本発明は、ここでは記載していない様々な実施の形態などを含むことは勿論である。したがって、本発明の技術的範囲は、上述の説明から妥当な特許請求の範囲に係る発明特定事項によってのみ定められる。
【符号の説明】
【００８０】
Ｒ…傾斜部、Ｓ…空間、ＳＬ…信号線、Ｗ１…幅、Ｗ２…幅、Ｗｅ…電極幅、１０…情報表示装置、１００…情報表示パネル、１１０…本体パネル部、１１０ａ〜１１０ｄ…縁部、１１１…表示領域、１１２ａ〜１１２ｅ…ドライバＩＣ、１１５…位置検出部、１２０…コネクタ部、１２０Ａ…コネクタ部、１２０Ｂ…コネクタ部、１２１…コネクタ基板、１２１ａ…コネクタ表面、１２１ｂ…コネクタ裏面、１２１Ｘ乃至１２１Ｙ…コネクタ端部、１２２ａ〜１２２ｆ…パネル側電極、１２３ａ〜１２３ｆ…パネル側電極、２００…表示制御部、２１０…載置部、２１１…制御回路、２２０…着脱機構、２２１ａ〜２２１ｆ…表示制御側電極、３２０ａ…表面基板、３２０ｂ…裏面基板、３４０ａ…表面電極、３４０ｂ…裏面電極、３５０…隔壁、３９０Ｂ…黒色表示媒体、３９０Ｂａ…正帯電性黒色粒子、３９０Ｗ…白色表示媒体、３９０Ｗａ…負帯電性白色粒子、５００…凹部
【図１】
2013092627.tif 000003
【図２】
2013092627.tif 000004
【図３】
2013092627.tif 000005
【図４】
2013092627.tif 000006
【図５】
2013092627.tif 000007
【図６】
2013092627.tif 000008
【図７】
2013092627.tif 000009
【図８】
2013092627.tif 000010
【図９】
2013092627.tif 000011
【図１０】
2013092627.tif 000012
【図１１】
2013092627.tif 000013
【図１２】
2013092627.tif 000014